(57)【要約】      （修正有）【課題】健康用途のため、使用者が吸入するための水素と酸素とのガス混合物を発生させる防爆ガス発生器を提供する。【解決手段】ガス混合システム２００は、ガス管を介して電解装置に連結されて、ガス混合物１０８を受け取る。ガス混合システム２００はシンク又は純水タンクなどの加湿器２０４を備えており、それによりガス混合物１０８を純水２０６で濾過することで、濾過されたガス２０８が発生する。加湿器２０４は水素及び酸素を除くガス混合物１０８中の他のガス又は不純物、例えば、塩素又は微量の金属などをろ過して取り除くように構成されている。【選択図】図２
0003193762.tif 000002
【実用新案登録請求の範囲】
【請求項１】
健康用途のための防爆ガス発生器であって、
使用者が吸入するための水素と酸素とのガス混合物を生成するよう水を電気分解する電解装置と、
前記電解装置に電力を供給するのに適した、電気的に前記電解装置に接続された電源と、
前記水素と酸素とのガス混合物の流量を制御するのに適した、前記電解装置に連結された流量調整器であって、前記水素と酸素とのガス混合物の流量は０．１Ｌ／分〜２Ｌ／分の間に制御されている流量調整器と、を含む、
健康用途のための防爆ガス発生器。
【請求項２】
前記流量調整器は前記水素と酸素とのガス混合物の流量を検出する流量計を備えており、前記流量調整器は、選択的に前記電解装置と前記電源との間の電気的接続を停止することができる、請求項１に記載の健康用途のための防爆ガス発生器。
【請求項３】
前記流量調整器は前記水素と酸素とのガス混合物の流量を検出する流量計を備えており、前記流量調整器は、選択的に前記電源の電力レベルを調整することができるため、前記水素と酸素とのガス混合物の流量は０．１Ｌ／分〜２Ｌ／分の間に制御される、請求項１に記載の健康用途のための防爆ガス発生器。
【請求項４】
前記流量調整器は、さらに前記流量計に連結されたコンピュータを備えており、該コンピュータは前記電源の電力レベルと、前記水素と酸素とのガス混合物の流量との間の関係を表す参照テーブルを格納し、前記コンピュータは選択的に前記電源の電力レベルを調整することで、前記水素と酸素とのガス混合物の流量を制御することができる、請求項３に記載の健康用途のための防爆ガス発生器。
【請求項５】
前記流量調整器は流量計、コンピュータ及び放出弁を備えており、前記流量計は前記水素と酸素とのガス混合物の流量を検出するのに適しており、前記コンピュータは前記流量計に連結され、かつ前記電源の電力レベルと、前記水素と酸素とのガス混合物の流量との間の関係を表す参照テーブルを格納し、前記コンピュータは選択的に前記放出弁を開放することができる、請求項１に記載の健康用途のための防爆ガス発生器。
【請求項６】
前記流量調整器は、さらに前記放出弁が開放された回数を計算するカウンタを備えており、前記流量調整器は選択的に前記電解装置と前記電源との間の電気的接続を停止することができる、請求項５に記載の健康用途のための防爆ガス発生器。
【請求項７】
前記流量調整器は流量計及びコンピュータを備えており、該流量計は前記水素と酸素とのガス混合物の流量を検出するのに適しており、前記コンピュータは前記流量計に連結され、かつ前記電源の電力レベルと、前記水素と酸素とのガス混合物の流量との間の関係を表す参照テーブルを格納し、前記コンピュータは選択的に前記電解装置と前記電源との間の電気的接続を停止することができる、請求項１に記載の健康用途のための防爆ガス発生器。
【請求項８】
前記防爆ガス発生器の圧力が危険レベルよりも高いか否かを検出するのに適した、電気的に放出弁に接続された圧力センサをさらに備え、前記圧力センサは選択的に前記放出弁を開放することができる、請求項１に記載の健康用途のための防爆ガス発生器。
【請求項９】
使用者が吸入するための濾過されたガスを生成するために、前記水素と酸素とのガス混合物を受け取るように前記電解装置に連結された加湿器をさらに備える請求項１に記載の健康用途のための防爆ガス発生器。
【請求項１０】
前記濾過されたガスを受け取るように前記加湿器に連結された霧化／揮発性ガス混合タンクを備え、前記霧化／揮発性ガス混合タンクは前記濾過されたガスと混合される霧化ガスを発生させて健康用ガスを生成し、前記霧化ガスは水蒸気、霧化薬、揮発性精油又はこれらの組み合わせである、請求項９に記載の健康用途のための防爆ガス発生器。
【請求項１１】
前記加湿器と前記霧化／揮発性ガス混合タンクとの間に連結された変換弁をさらに備え、前記変換弁は選択的に前記加湿器を前記霧化／揮発性ガス混合タンクに接続するように構成されているため、前記霧化ガスは前記濾過されたガスと混合されて前記健康用ガスが発生し、また、前記変換弁は選択的に前記加湿器の前記霧化／揮発性ガス混合タンクとの接続を切るように構成されているため、前記濾過されたガスは使用者が吸入するために直接出力される、請求項１０に記載の健康用途のための防爆ガス発生器。
【請求項１２】
前記霧化／揮発性ガス混合タンクは、さらに前記霧化ガスを生成するために液体を霧化又は気化させるオシレータを備えている、請求項１０に記載の健康用途のための防爆ガス発生器。
【請求項１３】
前記液体は精油、薬液、純水又はこれらの組み合わせである、請求項１２に記載の健康用途のための防爆ガス発生器。
【請求項１４】
前記霧化／揮発性ガス混合タンクは、さらに霧化ベース液体を備えており、前記液体は前記霧化ベース液体の上方に配置され、かつ前記オシレータは前記霧化ベース液体の下方に配置される、請求項１３に記載の健康用途のための防爆ガス発生器。
【請求項１５】
前記オシレータをオン／オフすることによって選択的に前記濾過されたガス又は前記健康用ガスのいずれかを出力するように構成される、請求項１２に記載の健康用途のための防爆ガス発生器。
【請求項１６】
前記電解装置に接続され、かつ水素濃度を低減させるために前記水素と酸素とのガス混合物にガスを導入するのに適した、ガス供給要素をさらに備え、前記ガスは空気、水蒸気、不活性ガス、酸素又はこれらの組み合わせである、請求項１に記載の健康用途のための防爆ガス発生器。
【請求項１７】
前記電解装置は２つの電極を備えており、該電極の極性は入れ替え可能である、請求項１に記載の健康用途のための防爆ガス発生器。
【考案の詳細な説明】
【技術分野】
【０００１】
本考案は、健康用途のためのガス発生器、より詳細には、水素と酸素との混合ガスを生成可能な健康用途のための防爆ガス発生器に関する。
【背景技術】
【０００２】
古代から現在まで、人類は常に生命の維持を最優先としてきた。医療技術における多くの進歩は、疾患及びますます伸びる平均余命に使用されている。過去において、ほとんどの医学的治療は受動的であった。換言すれば、人は病気になったときにのみ、外科手術、薬物療法、化学療法、放射線治療などを行うことで疾患を治療する。
しかし最近では、多くの医療専門家は、積極的に発病の危険性を低減するために、病気の予防、例えば食品の健康への影響に関する研究、及び遺伝性疾患についてのスクリーニングなどに焦点を当てている。さらに、スキンケア製品及び抗酸化食品／薬剤を含めた多くの抗老化技術が平均余命を伸ばすために開発されてきた。
【０００３】  近年、人々はアロマセラピーの利点に気付いてきた。アロマセラピーは、人々をリラックスした気分にさせ、かつ人々が健康になるための自然な方法である。精油は芳香性植物から抽出されてマッサージ、入浴、香水をつけることなどによって人にさらされる媒体として作用する。この方法は、エジプトの古代から存在しており、現在、ヨーロッパで多くの注目を集めている。  （公序良俗違反につき、不掲載）という名のフランスの科学者は、科学雑誌においてアロマセラピーに関する彼の研究成果を発表し、それは多くの人々の興味をかき立てた。彼の研究では、植物の精油は皮膚の深層組織に到達することができ、次に血管に吸収されて、血液循環により治療される必要がある臓器に到達することがわかった。
【考案の概要】
【考案が解決しようとする課題】
【０００４】
従って、本考案は健康用途のためのガス発生器を提供する。ガス発生器は、人々をリラックスした気分にさせ、また、医学的治療に適した、健康管理のための健康用ガスを生成することができる。
【課題を解決するための手段】
【０００５】
本考案の１つの目的は、健康用途のための防爆ガス発生器を提供することである。健康用途のための防爆ガス発生器は、使用者が吸入するための水素と酸素とのガス混合物を発生させることができる。
【０００６】
本考案の別の目的は、健康用途のための防爆ガス発生器を提供することである。健康用途のための防爆ガス発生器は、使用者が吸入するために、水素と酸素とのガス混合物を発生させ、次にガス混合物を霧化薬、水蒸気又は揮発性精油と混合することができる。
【０００７】
本考案の一実施形態によれば、健康用途のための防爆ガス発生器は電解装置及びガス混合システムを備えている。電解装置は、水素と酸素とのガス混合物を生成するよう水を電気分解するのに適している。ガス混合システムは電解装置に連結されてガス混合物を受け取り、かつガス混合物を水蒸気、霧化薬液、揮発性精油又はこれらの組み合わせと混合することで、使用者が吸入するための健康用ガスを生成する。
【０００８】
本考案の別の実施形態によれば、健康用途のための防爆ガス発生器は、さらに電解装置とガス混合システムとの間に連結されたガス供給要素を備えている。ガス供給要素は、水素濃度を低減させるためにガスを水素と酸素とのガス混合物に導入するのに適している。さらに、実施形態の１つでは、添加されるガスは空気、不活性ガス、水蒸気又はこれらの組み合わせである。
【０００９】
本考案の別の実施形態によれば、健康用途のための防爆ガス発生器は、さらに電解装置に連結された流量調整器を備えている。流量調整器はガス混合システムに流入するガス混合物の量を制御するのに適しており、それによりガス混合物中の水素濃度が低減される。
【００１０】
本考案の別の実施形態によれば、健康用途のための防爆ガス発生器は、さらに電解装置に連結された流量計を備えている。流量計が電解装置から発生したガス混合物の異常なレベルを感知する（例えば、所定の安全値よりも高いか又は低いガスレベルを感知する）と、流量計は電解装置に供給される電力を遮断し、それによりガス混合物中の水素濃度が低減される。
【００１１】
本考案の別の実施形態によれば、ガス混合システムは、さらに加湿器及び霧化／揮発性ガス混合タンクを備えている。加湿器は電解装置に連結されてガス混合物を受け取り、濾過されたガスを発生させる。霧化／揮発性ガス混合タンクは加湿器に連結されてろ過されたガスを受け取り、次に濾過されたガスを霧化ガスと混合することで健康用ガスを発生させる。
【００１２】
本考案の別の実施形態によれば、健康用途のための防爆ガス発生器は、さらに加湿器と霧化／揮発性ガス混合タンクとの間に連結された変換弁を備えている。変換弁は、選択的に加湿器を霧化／揮発性ガス混合タンクに接続するように構成されるため、濾過されたガスを霧化ガスと混合して健康用ガスを発生させることができる。さらに、変換弁は、選択的に加湿器の霧化／揮発性ガス混合タンクとの接続を切ることができるため、濾過されたガスは直接出力される。
加湿器は、濾過されたガスを発生させるために水素と酸素とのガス混合物を濾過する純水タンクを備えている。霧化／揮発性ガス混合タンクは、霧化ガスを生成するために液体を霧化又は気化させるオシレータを備えている。液体は精油、薬液、純水又はこれらの組み合わせであり得る。霧化ガスは、揮発性精油、霧化薬、水蒸気又はこれらの組み合わせであり得る。さらに、健康用途のための防爆ガス発生器は、オシレータをオン／オフすることによって、選択的に濾過されたガス又は健康用ガスを出力するように構成されている。
【００１３】
本考案の別の実施態様によれば、加湿器は、さらに圧力センサ及び放出弁を備えている。圧力センサは、濾過されたガスの圧力が所定のレベルを超えているか否かを検出するために使用される。圧力が所定のレベルよりも高い場合、圧力センサはプログラムにより放出弁を開放し、濾過されたガスの圧力を低減することで爆発防止効果を達成する。
【考案の効果】
【００１４】
本考案による健康用途のための防爆ガス発生器は水素と酸素とのガス混合物を発生させることができ、ガス混合物は選択的に揮発性精油、霧化薬、水蒸気又はこれらの組み合わせと混合されることで、使用者が吸入するための健康用ガスが形成され得る。健康用ガスは一定の濃度の水素を含むため、抗酸化及び抗老化の効果をもたらす。加えて、健康用ガス中の霧化薬は容易に吸収され得る。さらに、健康用ガス中の揮発性精油は使用者のストレスを解消し、かつ健康を向上させ得る。
【００１５】
本考案の多くの他の利点及び特徴は、さらに、以下の詳細な説明及び添付の図面によって理解されるであろう。
【図面の簡単な説明】
【００１６】
【図１】本考案の一実施形態による健康用途のための防爆ガス発生器の電解装置を示す概略図である。
【図２】本考案の一実施形態による健康用途のための防爆ガス発生器のガス混合システムを示す概略図である。
【図３】本考案の別の実施形態による健康用途のための防爆ガス発生器のガス混合システムを示す概略図である。
【考案を実施するための形態】
【００１７】
理解を容易にするために同一の参照番号を使用しており、そのため図面に共通する同一の要素を指定することが可能である。
【００１８】
本考案の利点、精神及び特徴をより容易かつ明確に理解するために、実施形態及び添付の図面について次に説明する。しかしながら、本考案は実施形態及び添付の図面に限定されるものではない。
【００１９】
図１を参照されたい。図１は、本考案の一実施形態による健康用途のための防爆ガス発生器の電解装置を示す概略図である。本考案は、水素と酸素とのガス混合物を発生させることができる健康用途のための防爆ガス発生器を提供する。いくつかの実施形態では、水素と酸素とのガス混合物は水の電気分解によって生成される。
図に示すように、本考案のいくつかの実施形態では、電解装置１００は電解水１０４を収容する電解槽１０２を備えている。電解水１０４の主な成分は純水であるが、必要に応じて、水酸化ナトリウム、炭酸カルシウム及び塩化ナトリウムなどの電解質を電解水１０４に添加することができる。電解槽１０２は２つの電極１０６Ａ及び１０６Ｂを備えており、２つの電極１０６Ａ及び１０６Ｂは、それぞれ陰極電極及び陽極電極を表す。２つの電極１０６Ａ及び１０６Ｂは電源（図示せず）に連結されて、電解装置１００に必要な電力を供給する。
いくつかの実施形態では、２つの電極１０６Ａ及び１０６Ｂの極性は固定されており、例えば、電極１０６Ａは陰極であり、電極１０６Ｂは陽極である。他の実施形態では、２つの電極１０６Ａ及び１０６Ｂの極性は交互に入れ替わることができ、例えば、ある時点で、電極１０６Ａは陰極であり、かつ電極１０６Ｂは陽極であるが、所定時間の後、電極１０６Ａは陽極に変わり、かつ電極１０６Ｂは陰極に変わる。
【００２０】
２つの電極１０６Ａ及び１０６Ｂに電力が供給された後、電解槽１０２内の電解水１０４の電気分解が始まり、水素及び酸素が発生する。水素は陰極で形成され、かつ酸素は陽極で形成される。水素及び酸素の両方は電解槽１０２の上部に放出されて、水素と酸素とのガス混合物１０８が形成される。水素と酸素とのガス混合物１０８は、使用のために電解槽１０２のガス管１１０から排出される。
別の実施形態では、陰極からの水素及び陽極からの酸素を排出した後に混合して、水素と酸素とのガス混合物を形成する。水の電気分解からの水素と酸素との比率は約２：１（Ｈ２：Ｏ２）であるため、混合ガス中の水素の割合は６６％を超え得る。いくつかの実施形態では、水素爆発を防止するために、ガス供給要素１１２が本考案において適用され、ガスをガス混合物１０８に添加することで、水素濃度を、例えば２％〜６０％の量、例として２％〜４％の量に低減することができる。このガスは空気、水蒸気、不活性ガス（例えば窒素）、酸素又はこれらの組合せであり得る。
【００２１】
また、ガス混合物１０８の流量を減少させることでも爆発防止効果を有することができる。従って、別の実施形態では、ガス管１１０はガス混合物１０８の流量を制御する流量調整器１１４を備えているため、ガス混合物１０８が下流の装置に移動し、かつ下流の装置内でガスと混合されるときに、ガス混合物１０８中の水素濃度が低減され得る。
一実施形態では、流量調整器１１４は、電解槽１０２からのガス混合物１０８の流量が危険レベル（例えば、危険値は毎分２リットル、すなわち、２Ｌ／分、又は２０００ｃ．ｃ／分であり、これを超えるべきではない）よりも多いか否かを検出する流量計を備えている。流量調整器１１４は、選択的に電解槽１０２に供給される電力を停止することで、水素の過剰濃度を防ぐことができる。時に、電力供給の不安定性は水素濃度が高くなりすぎる原因になるため、ガス管１１０及び電解槽１０２にもまた流量計を備えることができる。しかしながら、水素の濃度が低すぎる場合、本考案の健康上の利益は減少し得る。従って、上記の危険レベルは、好ましくは０．１Ｌ／分以上、より好ましくは０．１Ｌ／分〜０．２Ｌ／分の間になるよう設定される。当然ながら、流量計（又は流量調整器１１４）はまた、ガス混合物の流量を正確に検出できる限り、他の位置に取り付けることができる。
他の実施形態では、流量調整器は、流量計及びコンピュータ（図示せず）を備えることができ、コンピュータは電源の電力レベル（電圧×電流）と、水素と酸素とのガス混合物の流量との間の関係を表す予め設定されたパラメータ（例えば、参照テーブル）を格納する。コンピュータは、固定された時間間隔ごとにパラメータ値を計算するために使用される（例えば、参照テーブルに従って、検出された流量から電力レベルを推定する）。
ガス混合物の流量が電力レベルに対応しない場合は、ガス混合物の圧力が高すぎることが示唆され得、流量調整器が作動して電解槽１０２に供給される電力を調整することで、ガス混合物１０８の生成量が減少し得る。すなわち、流量調整器１０４は、選択的に電解槽１０２に供給される電力レベルを調整することができる。従って、電力レベルの調整により、流量調整器はガス混合物１０８の流量を０．１Ｌ／分〜２Ｌ／分の間、より好ましくは０．１Ｌ／分〜０．２Ｌ／分の間になるよう制御することができる。
【００２２】
図２を参照されたい。図２は、本考案の一実施形態による健康用途のための防爆ガス発生器のガス混合システムを示す概略図である。ガス混合システム２００は、例えば図１に示されるガス管１１０を介して図１の電解装置１００に連結されて、ガス混合物１０８を受け取る。ガス混合システム２００はシンク又は純水タンクなどの加湿器２０４を備えており、それによりガス混合物１０８を純水２０６で濾過することで、濾過されたガス２０８が発生する。
いくつかの実施形態では、加湿器２０４は水素及び酸素を除くガス混合物１０８中の他のガス又は不純物、例えば、塩素又は微量の金属などをろ過して取り除くように構成されている。従って、加湿器２０４は、本実施形態における純水タンクに限定されず、水素及び酸素以外のガスを吸収するように構成されているあらゆる種類の装置とすることができる。ガス混合システム２００は、さらに濾過されたガス２０８を受け取るように加湿器２０４に連結された霧化／揮発性ガス混合タンク２１０を備えている。濾過されたガス２０８は、次に霧化ガス２１２と混合されて健康用ガス２１４が形成される。
霧化／揮発性ガス混合タンク２１０は、さらに液体２１８及び霧化／揮発性ガス混合タンク２１０内の液体２２０を霧化又は気化させるオシレータ２１６を備えているため、霧化ガス２１２が発生する。液体２１８は純水であって、霧化ベース液体として機能し得る。液体２２０は精油、薬液、純水又はこれらの組み合わせであり得る。霧化ガス２１２は揮発性精油、霧化薬、水蒸気又はこれらの組み合わせであり得る。
【００２３】
さらに、健康用途のための防爆ガス発生器は、さらに圧力センサ２０３及び電気的に圧力センサ２０３に接続された放出弁２０５を備えている。例えば、図２に示すように、圧力センサ２０３及び放出弁２０５は加湿器２０４に連結されており、圧力センサ２０３は濾過されたガスの圧力が危険レベル（例えば、１ａｔｍ、すなわち、１Ｐａ）よりも高いか否かを検出するために使用される。
濾過されたガスの圧力が高すぎる場合、圧力センサ２０３は放出弁２０５を開放して濾過されたガスの圧力を低減することにより、爆発防止効果が達成され得る。換言すれば、圧力センサ２０３は選択的に放出弁２０５を開放することができる。当然ながら、圧力センサ２０３及び放出弁２０５がガス混合物の圧力を検出かつ低減できる限り、圧力センサ２０３及び放出弁２０５は他の場所に連結され得る。例えば、圧力センサ２０３及び放出弁２０５は電解装置１００に連結され得る。ガス供給要素１１２、流量調整器１１４（又は流量計）、圧力センサ２０３及び放出弁２０５を組み合わせて用いることで、本考案は水素濃度を低減し、かつ爆発防止効果を有することができる。
【００２４】
他の実施形態では、流量調整器は流量センサ及びコンピュータ（図示せず）を備えており、コンピュータは電源の電力レベル（電圧×電流）と、水素と酸素とのガス混合物の流量との間の関係を表す予め設定されたパラメータ（例えば、参照テーブル）を格納する。コンピュータは、固定された時間間隔ごとにパラメータ値を計算するのに適している（例えば、参照テーブルに従って、検出された流量から電力レベルを推定する）。
ガス混合物の流量が電力レベルに対応しない場合は、ガス混合物の圧力が高すぎることが示唆され得、コンピュータは圧力が予め設定された安全値に達するまで放出弁２０５を開放し、その後放出弁２０５を閉鎖し得る。しかしながら、放出弁が一定期間中に何回も開放される（カウンタにより累積的に算出され得る）場合、又はガス漏れの問題がある場合は、コンピュータは安全のために電解槽の電力を遮断することができる。すなわち、コンピュータは選択的に放出弁を開放し、かつ電解槽の電力を遮断することができる。
【００２５】
図３を参照されたい。図３は、本考案の別の実施形態による健康用途のための防爆ガス発生器のガス混合システムを示す概略図である。この実施形態では、健康用途のための防爆ガス発生器は、さらに加湿器２０４と霧化／揮発性ガス混合タンク２１０との間に連結された変換弁２５０を備えている。
変換弁２０５は選択的に加湿器２０４を霧化／揮発性ガス混合タンク２１０に接続するように構成されているため、霧化ガス２１２は濾過されたガス２０８Ａと混合されて健康用ガス２１４が発生し得る。
変換弁はまた、選択的に加湿器の霧化／揮発性ガス混合タンクとの接続を切るように構成されているため、濾過されたガスは使用者が吸入するために直接出力される。つまり、使用者は変換弁を切り替えることによって、健康用ガスが揮発性精油、霧化薬又は水蒸気を含むべきか否かの決定において選択肢を有する。この実施形態は、使用者に水素と酸素のみを含むガス混合物を吸い込むことを可能にするという点で、図２の実施形態とは異なる。
【００２６】
別の実施形態では、使用者は、例えばオシレータ２１６をオン／オフすることなど、他の方法によって健康用ガスの組成を決定することができる。例えば、オシレータ２１６がオンであれば、濾過されたガス２０８は霧化ガス２１２と混合されて健康用ガス２１４が発生し、オシレータ２１６がオフであれば、濾過されたガス２０８は使用者が吸入するために直接排出される。
【００２７】
上記の実施形態によれば、健康用ガス２１４は水素及び酸素、並びに必要に応じて揮発性精油、霧化薬、水蒸気又はこれらの組み合わせを含む。研究によって、人体内にはフリーラジカルとして知られている不安定な酸素種（Ｏ＋）が存在することが見出された。フリーラジカルは、通常、疾患、食事、環境及び人のライフスタイルに起因して発生し、人体内のフリーラジカルは吸入された水素と反応して水の形で排泄され得る。この方法によって、人体内のフリーラジカルの量を低減することができ、それにより身体状態を酸性状態からアルカリ状態に戻し、抗酸化、抗老化及び美容健康効果、さらには慢性疾患の排除が達成され得る。
加えて、臨床研究によれば、霧化薬液はその非霧化対応物と比べて人体に吸収されやすい。すなわち、霧化薬はその非霧化対応物と比較して、はるかに低い投薬量で同じ治療効果を達成することができる。
さらに、投与される霧化薬の低投薬量により、薬物の副作用が低減し得る。従って、健康用ガス２１４は優れた治療効果をもたらすであろう。また、高濃度の酸素を長時間吸入する必要がある患者のために、高濃度の酸素からの肺損傷が水素の吸入によって改善し得ることを示す臨床実験もある。これらの利点の他に、健康用ガス中の揮発性精油は、一般的な使用者が彼らの健康を向上させ、かつストレスを解消させることに役立ち得る。
【００２８】
前述の例示及び説明により、本考案の特徴及び精神が十分に説明されることを期待する。重要なことは、本考案は本明細書に記載の実施形態に限定されるものではない点である。当業者は、本考案の教示を保持しながら本考案の装置に多くの修正及び変更がなされ得ることを容易に認めるであろう。従って、上記の開示は、添付の実用新案登録請求の範囲の境界によってのみ限定されると解釈されるべきである。
【図１】
0003193762.tif 000003
【図２】
0003193762.tif 000004
【図３】
0003193762.tif 000005
【手続補正書】
【提出日】平成26年8月15日(2014.8.15)
【手続補正１】
【補正対象書類名】明細書
【補正対象項目名】０００３
【補正方法】変更
【補正の内容】
【０００３】
近年、人々はアロマセラピーの利点に気付いてきた。アロマセラピーは、人々をリラックスした気分にさせ、かつ人々が健康になるための自然な方法である。精油は芳香性植物から抽出されてマッサージ、入浴、香水をつけることなどによって人にさらされる媒体として作用する。この方法は、エジプトの古代から存在しており、現在、ヨーロッパで多くの注目を集めている。
或るフランスの科学者が、科学雑誌においてアロマセラピーに関する彼の研究成果を発表し、それは多くの人々の興味をかき立てた。彼の研究では、植物の精油は皮膚の深層組織に到達することができ、次に血管に吸収されて、血液循環により治療される必要がある臓器に到達することがわかった。